(57)【特許請求の範囲】
【請求項１】
シャフトと、
前記シャフトの先端部が固定される開口を有するホーゼル部を備えたゴルフクラブヘッドと、
前記ホーゼル部の開口周縁に着脱自在に取り付けられる第１固定部を有し、前記シャフトの外周面を覆う筒状の固定部材と、
前記ホーゼル部の開口周縁に着脱可能な第２固定部、及び前記固定部材の第１固定部に着脱可能な第３固定部を有し、前記シャフトの外周面を覆う筒状に形成されている、インサート部材と、
を備え、
前記固定部材の第１固定部を前記ホーゼル部に固定する第１の態様と、前記インサート部材の第２固定部を前記ホーゼル部に固定するとともに、前記インサート部材の第３固定部に前記固定部材の第１固定部を固定する第２の態様と、を取り得るように構成され、
前記インサート部材は、前記シャフトの外周面を覆う筒状の状態と、周方向に複数に分割され前記シャフトの外周面から離脱する分割状態とを取り得るように構成されている、ゴルフクラブ。
【請求項２】
前記固定部材は、前記シャフトの軸方向に移動可能に構成され、
前記固定部材が前記第１の態様から前記シャフトに沿って軸方向に移動した後、前記インサート部材を、前記ホーゼル部の開口周縁と前記固定部材との間に配置することで、前記第２の態様が取られる、請求項１に記載のゴルフクラブ。
【請求項３】
前記ホーゼル部の開口の外周縁には、雄ねじが形成され、
前記固定部材の第１固定部は、前記ホーゼル部の開口の雄ねじと螺合する雌ねじが形成され、
前記インサート部材の第２固定部には、前記ホーゼル部の開口の雄ねじと螺合する雌ねじが形成され、
前記インサート部材の第３固定部には、前記固定部材の第１固定部の雌ねじと螺合する雄ねじが形成されている、請求項１または２に記載のゴルフクラブ。
【請求項４】
前記ホーゼル部の開口の外周縁には、雄ねじが形成され、
前記インサート部材の第２固定部は、
前記ホーゼル部の開口の雄ねじと螺合する雌ねじと、
前記雌ねじの径方向内方に形成され、前記ホーゼル部の開口の内周縁と係合する係合部と、を備えている、請求項１から３のいずれかに記載のゴルフクラブ。
【請求項５】
前記インサート部材は、金属で形成されている、請求項１から４のいずれかに記載のゴルフクラブ。
【請求項６】
シャフトと、
前記シャフトの先端部が固定される開口を有するホーゼル部を備えたゴルフクラブヘッドと、
前記シャフトの外周面を覆う筒状に形成され、軸方向の一端部に第１固定部を有する固定部材と、
前記ホーゼル部の開口周縁に着脱可能な第２固定部、及び前記固定部材の第１固定部に着脱可能な第３固定部を有するとともに、前記シャフトの外周面を覆う筒状に形成され、軸方向の長さが相違する複数のインサート部材と、
を備え、
前記複数のインサート部材の１つを選択的に前記シャフトに取付けることで、前記ホーゼル部の開口から前記固定部材までの長さを変更可能に構成されており、
前記各インサート部材は、前記シャフトの外周面を覆う筒状の状態と、周方向に複数に分割され前記シャフトの外周面から離脱する分割状態とを取り得るように構成されている、ゴルフクラブ。
【発明の詳細な説明】
【技術分野】
【０００１】
本発明は、ゴルフクラブに関する。
【背景技術】
【０００２】
近年、ユーザの要望に応じて、シャフトを交換できるゴルフクラブが提案されている。シャフトの交換は、長さの変更のほか、硬度の異なるシャフトに付け替えることで撓りを変更するために行われる。しかしながら、撓りの変更のためにシャフト自体を交換すると、コストが高くなるという問題がある。そこで、特許文献１には、シャフトを交換せず、硬度を変更することができるゴルフクラブが提案されている。
【０００３】
すなわち、特許文献１のゴルフクラブでは、ゴルフクラブヘッドのホーゼル部にシャフトをそのまま取り付ける第１の態様と、ホーゼル部の開口に筒状の延長部材を取り付けることで、ホーゼル長さを長くした上で、シャフトを取り付ける第２の態様をとり得るように構成されている。これにより、ホーゼル長さを変更することかできるので、シャフト自体を変更することなく、シャフトの先端の撓り易さを変更することかできる。
【先行技術文献】
【特許文献】
【０００４】
【特許文献１】特許第５４４７１４１号公報
【発明の概要】
【発明が解決しようとする課題】
【０００５】
しかしながら、上記のようなゴルフクラブでは、延長部材を取付ける際に、シャフトをゴルフクラブヘッドから取り外す必要があり、作業が繁雑であるという問題がある。本発明は、上記問題を解決するためになされたものであり、ヘッドからシャフトを取り外すことなく、ホーゼル長さを調整することが可能なゴルフクラブを提供することを目的とする。
【課題を解決するための手段】
【０００６】
本発明に係る第１のゴルフクラブは、シャフトと、前記シャフトの先端部が固定される開口を有するホーゼル部を備えたゴルフクラブヘッドと、前記ホーゼル部の開口周縁に着脱自在に取り付けられる第１固定部を有し、前記シャフトの外周面を覆う筒状の固定部材と、前記ホーゼル部の開口周縁に着脱可能な第２固定部、及び前記固定部材の第１固定部に着脱可能な第３固定部を有し、前記シャフトの外周面を覆う筒状に形成されている、インサート部材と、を備え、前記固定部材の第１固定部を前記ホーゼル部に固定する第１の態様と、前記インサート部材の第２固定部を前記ホーゼル部に固定するとともに、前記インサート部材の第３固定部に前記固定部材の第１固定部を固定する第２の態様と、を取り得る。
【０００７】
上記ゴルフクラブにおいて、前記インサート部材は、前記シャフトの外周面を覆う筒状の状態と、周方向に複数に分割され前記シャフトの外周面から離脱する分割状態とを取り得るように構成することができる。
【０００８】
上記いずれかのゴルフクラブにおいて、前記固定部材は、前記シャフトの軸方向に移動可能に構成され、前記固定部材が前記第１の態様から前記シャフトの軸方向に移動した後、前記インサート部材を、前記ホーゼル部の開口周縁と前記固定部材との間に配置することで、前記第２の態様が取られるように構成することができる。
【０００９】
上記いずれかのゴルフクラブにおいて、前記ホーゼル部の開口の外周縁には、雄ねじが形成され、前記固定部材の第１固定部は、前記ホーゼル部の開口の雄ねじと螺合する雌ねじが形成され、前記インサート部材の第２固定部には、前記ホーゼル部の開口の雄ねじと螺合する雌ねじが形成され、前記インサート部材の第３固定部には、前記固定部材の第１固定部の雄ねじと螺合する雄ねじが形成されるように構成することができる。
【００１０】
上記いずれかのゴルフクラブにおいて、前記ホーゼル部の開口の外周縁には、雄ねじが形成され、前記固定部材の第１固定部は、前記ホーゼル部の開口の雄ねじと螺合する雌ねじと、前記雌ねじの径方向内方に形成され、前記ホーゼル部の開口の内周縁と係合する係合部と、を備えることができる。
【００１１】
上記いずれかのゴルフクラブにおいて、前記インサート部材は、金属、樹脂、特にＦＲＰで形成することができる。
【００１２】
本発明に係る第２のゴルフクラブは、シャフトと、前記シャフトの先端部が固定される開口を有するホーゼル部を備えたゴルフクラブヘッドと、前記シャフトの外周面を覆う筒状に形成され、軸方向の一端部に第１固定部を有する固定部材と、前記ホーゼル部の開口周縁に着脱可能な第２固定部、及び前記固定部材の第１固定部に着脱可能な第３固定部を有するとともに、前記シャフトの外周面を覆う筒状に形成され、軸方向の長さが相違する複数のインサート部材と、を備え、前記複数のインサート部材の１つを選択的に前記シャフトに取付けることで、前記ホーゼル部の開口から前記固定部材までの長さを変更可能に構成されている。
【００１３】
上記いずれかのゴルフクラブにおいて、前記インサート部材は、前記シャフトの外周面を覆う筒状の状態と、周方向に複数に分割され前記シャフトの外周面から離脱する分割状態とを取り得るように構成することができる。
【００１４】
上記いずれかのゴルフクラブにおいて、前記固定部材は、前記シャフトの軸方向に移動可能に構成することができる。
【発明の効果】
【００１５】
本発明に係る第１のゴルフクラブによれば、ホーゼル部の開口周縁に取付けられる固定部材と、ホーゼル部の開口と固定部材との間に配置可能なインサート部材とを有している。そのため、ホーゼル部の長さを変更することができる。すなわち、固定部材をホーゼル部の開口に固定する第１の態様と、ホーゼル部にインサート部材を固定し、さらにインサート部材に固定部材を固定する第２の態様とを選択的にとり得ることができるため、ユーザーの要望に応じて、ホーゼル長さを変更することができる。その際、シャフトをゴルフクラブヘッドから取り外すことなく、固定部材及びインサート部材を着脱するだけで、ホーゼル部の長さを変更できるため、取り扱いが容易である。
【図面の簡単な説明】
【００１６】
【図１】本発明に係るゴルフクラブの第１実施形態の正面図である。
【図２】図１の側面図である。
【図３】図１のゴルフクラブに設けられる固定部材の側面図である。
【図４】図１のゴルフクラブに用いられるインサート部材の側面図及び分解図である。
【図５】図３及び図４の固定部材及びインサート部材の使用方法を示すゴルフクラブの一部側面図である。
【図６】本発明に係るゴルフクラブの第２実施形態の一部正面図である。
【図７】図６のゴルフクラブに用いられるインサート部材の側面図及び分解図である。
【図８】図６の固定部材及びインサート部材の使用方法を示すゴルフクラブの一部側面図である。
【図９】インサート部材とホーゼル部材の固定方法の他の例を示す断面図である。
【図１０】インサート部材とホーゼル部の固定方法の他の例を示す断面図である。
【発明を実施するための形態】
【００１７】
＜Ａ．第１実施形態＞
以下、本発明の第１実施形態に係るゴルフクラブについて図面を参照しつつ説明する。図１は本実施形態に係るアイアン型ゴルフクラブの正面図であり、図２は図１の側面図である。なお、以下の説明では、図１及び図２の上下方向を「上下」と称し、これを基準に他の図面においても説明を行うことがある。
【００１８】
＜１．ゴルフクラブの概要＞
図１及び図２に示すように、本実施形態に係るゴルフクラブは、アイアン型のゴルフクラブであり、ゴルフクラブヘッド（以下、単に「ヘッド」又は「クラブヘッド」ということがある。）１と、これに連結されるシャフト２と、を備えている。ヘッド１は、ボールを打撃するフェース面１１と、このフェース面１１の上縁に連なりかつヘッド上面を形成するトップ面１２と、フェース面１１の下縁に連なりヘッド底面を形成するソール面１３と、を備えている、さらに、このヘッド１は、トップ面１２とソール面１３との間を滑らかに湾曲して継ぐトウ面１４と、フェース面１１と反対側の面をなすバック面１５と、を備えている。
【００１９】
そして、トップ面１２において、トウ面１４と反対側の端部には、シャフト２が装着されるシャフト差込孔（開口）３１を有する円筒状のホーゼル部３が設けられている。この差込孔３１の中心軸線Ｚは、シャフト２の軸線に一致している。また、この差込孔３１の開口の外周縁には雄ねじ３２が形成されており、この雄ねじ３２に、ホーゼル部３の長さ（以下、「ホーゼル長さ」、または「ネック長さ」ともいう）を変更するための変更機構が設けられている。変更機構については、後述する。
【００２０】
本実施形態のヘッド１は、金属材料からなるフェース板をフェース面とし、このフェース板とは異なる金属材料からなりかつフェース板を前面に配するヘッド本体とから構成される。ただし、ヘッド１は、１種の金属材料を鍛造又は鋳造して形成されたものでも良い。また、シャフト２は、公知のものであり、例えば、金属、樹脂材料などで形成することができる。
【００２１】
＜２．ホーゼル長さの変更機構＞
次に、ホーゼル長さの変更機構について、図３及び図４を参照しつつ説明する。図３は変更機構を構成する固定部材の正面図であり、図４は変更機構を構成するインサート部材の正面図及び分解図である。図３及び図４に示すように、この変更機構は、円筒状に形成された固定部材４と、同じく円筒状に形成されたインサート部材５と、を備えており、これらがホーゼル部３に取り付けられることで、ホーゼル長さを変更できるようになっている。これら固定部材４とインサート部材５の外径は、概ねホーゼル部３の外径と同じである。また、固定部材４及びインサート部材５は、ともに円筒状の内部空間を備えており、この内部空間にシャフト２が挿通されるようになっている。
【００２２】
固定部材４は、ホーゼル部３の上端部に取り付けられる。そして、シャフト２とホーゼル部３との連結部分に配置され、主として装飾の役割を果たす。図３に示すように、固定部材４は円筒状に形成されているが、この固定部材４は、シャフト２が予め挿通される。その後、シャフト２が差込孔３１に接着材などで固定される。したがって、この固定部材４は、シャフト２に沿って軸方向に移動可能となっている。また、固定部材４において、軸方向の下端部の内周縁には、雌ねじ（第１固定部）４１が形成されており、ホーゼル部３の雄ねじ３２と螺合するようになっている。また、固定部材４の外周面は、下端部から上端部に向かって径が小さくなるようなテーパ状に形成されている。そのため、本実施形態では、シャフトに一般的に装着されるソケット、フェルール、フェラルなどと呼ばれる環状装飾部材と兼用できるように形成してもよい。なお、本実施形態では固定部材４がテーパ状であるが、テーパを持たない筒状でもよい。固定部材４をテーパを持たない筒状で形成し、さらにその上部に上記のような環状装飾部材を装着することもできる。
【００２３】
図４（ａ）に示すように、インサート部材５は、軸方向において、ホーゼル部３の差込孔３１の開口と、固定部材４との間に配置されるものであり、固定部材４よりも軸方向に長く円筒状に形成されている。そして、インサート部材５における上端部の外周面には、固定部材４の雌ねじ４１に螺合する雄ねじ（第３固定部）５１が形成されている。一方、インサート部材５の下端部には、ホーゼル部３の雄ねじ３２に螺合する雌ねじ（第２固定部）５２が形成されている。また、図４（ｂ）に示すように、インサート部材５は、周方向に２つに分割可能となっている。より詳細には、断面円弧状の２つのインサート片５０を組み合わせることで、円筒状のインサート部材５を形成するようになっている。なお、インサート片５０同士を固定するように構成することもできる。例えば、一方のインサート片５０に凸部、他方のインサート片５０に凹部を設け、これらを係合させてもよい。あるいは、一方のインサート片５０にキー溝、他方のインサート片５０にキーを設け、これらを係合させてもよい。その他、両インサート片５０同士を固定できるものであれば、特には限定されない。
【００２４】
固定部材４及びインサート部材５は、硬質の材料で形成することが好ましく、例えば、金属、樹脂、特にＦＲＰなどで形成することができる。
【００２５】
次に、上記変更機構の使用方法について、図５を参照しつつ説明する。本実施形態に係る変更機構では、２種類のホーゼル長さを選択可能となっている。すなわち、固定部材４のみを利用する第１の態様と、固定部材４及びインサート部材５を利用する第２の態様がある。まず、第１の態様について説明する。図５（ａ）に示すように、この態様では、固定部材４の雌ねじ４１を、差込孔３１の雄ねじ３２に螺合する。なお、シャフト２は、ホーゼル部３に固定されているため、固定部材４のみをシャフト２に沿って移動させ、ホーゼル部３に固定する。これにより、固定部材４の上端部からシャフト２の後端部までの長さがＬ１となり、この部分がスイング時に撓りをもたらす。
【００２６】
続いて、第２の態様について説明する。第１の態様から第２の態様へ移行するには、まず、固定部材４をホーゼル部３から取り外す。次に、固定部材４をシャフト２に沿って移動させ、ホーゼル部３から離間させる。続いて、図５（ｂ）に示すように、インサート部材５をシャフト２に取付ける。まず、一対のインサート片５０をシャフト２の外周で、円筒状になるように組み合わせ、インサート部材５を形成する。このとき、両インサート片５０を配置する軸方向の位置は、ホーゼル部３と、固定部材４との間である。次に、インサート部材５の下端部の雌ねじ５２を、ホーゼル部３の雄ねじ３２に螺合する。最後に、固定部材４の雌ねじ４１を、インサート部材５の上端部の雄ねじ５１に螺合する。こうして、第２の態様が完成する。この態様では、固定部材４の上端部からシャフト２の後端部までの長さがＬ２となり、この部分がスイング時に撓りをもたらす。そして、この長さＬ２は、第１の態様に比べ、インサート部材５の軸方向の長さだけ、Ｌ１よりも短い。したがって、撓りをもたらすシャフト２の長さが短くなる。その結果、スイング時のシャフト２の硬さを変化させることができる。
【００２７】
以上のように、本実施形態によれば、シャフト２をゴルフクラブヘッド１から取り外すことなく、固定部材４及びインサート部材５を着脱するだけで、ホーゼル部３の長さを変更することができる。したがって、シャフト２の硬さを容易に変更することができる。なお、インサート部材は、１種類だけではなく、軸方向の長さの異なる複数のインサート部材を準備しておけば、撓りの長さを多数変更することができる。
【００２８】
＜Ｂ．第２実施形態＞
以下、本発明の第２実施形態に係るゴルフクラブについて、図６〜図９を参照しつつ説明する。第２実施形態が、第１実施形態と相違するのは変更機構の構成と、差込孔の構成であり、その他の構成は同じであるため、説明を省略する。
【００２９】
第１実施形態では、インサート部材５を利用する場合と、利用しない場合とで、ホーゼル長さを変更したが、本実施形態では、軸方向の長さの異なる複数のインサート部材を用いることで、ホーゼル長さを変更している。
【００３０】
図６に示すように、第２実施形態に係るゴルフクラブヘッドでは、ホーゼル部３の先端に大径の穴３３が形成され、その中に同心状に小径の穴３４が形成されている。大径の穴３３の内周面には、雌ねじが形成されており、この雌ねじに後述するインサート部材の雄ねじが螺合する。そして、小径の穴３４はシャフト２が挿入される差込孔を構成する。また、固定部材４は、第１実施形態で使用したものと同じであるため、説明を省略する。
【００３１】
ここでは、２種類のインサート部材、第１及び第２インサート部材６，７を用いるが、これらインサート部材は、軸方向の長さが相違するだけで、その他の構成は同じである。したがって、以下では、第１インサート部材６について説明する。
【００３２】
図７（ａ）に示すように、第１インサート部材６は、円筒状に形成され、上端部の外周面には、固定部材４の雌ねじ４１に螺合する雄ねじ（第３固定部）６１が形成されている。一方、第１インサート部材６の下端部には、ホーゼル部の大径の穴３３の雌ねじに螺合する雄ねじ（第２固定部）６２が形成されている。また、図７（ｂ）に示すように、第１インサート部材６は、周方向に２つに分割可能となっている。より詳細には、断面円弧状の２つの第１インサート片６０を組み合わせることで、円筒状の第１インサート部材６を形成するようになっている。
【００３３】
なお、第１及び第２インサート部材６，７を構成する材料は、第１実施形態と同様である。
【００３４】
次に、変更機構の使用方法について、図８を参照しつつ説明する。本実施形態に係る変更機構では、２種類のネック長さを選択可能となっている。すなわち、固定部材４及び第１インサート部材６を利用する第１の態様と、固定部材４及び第２インサート部材７を利用する第２の態様がある。まず、第１の態様について説明する。この態様では、まず、固定部材４をホーゼル部３から離間する。次に、図８（ａ）に示すように、第１インサート部材６をシャフト２に取付ける。すなわち、一対の第１インサート片６０をシャフト２の外周で、円筒状になるように組み合わせ、第１インサート部材６を形成する。このとき、各第１インサート片６０を配置する軸方向の位置は、ホーゼル部３と、固定部材４との間である。次に、第１インサート部材６の下端部の雄ねじ６２を、ホーゼル部３の大径の穴３３の雌ねじに螺合する。最後に、固定部材４の雌ねじ４１を、第１インサート部材６の上端部の雄ねじ６１に螺合する。こうして、第１の態様が完成する。この態様では、固定部材４の上端部からシャフト２の後端部までの長さがＬ３となり、この部分がスイング時に撓りをもたらす。
【００３５】
次に、第２の態様について説明する。この態様では、第１インサート部材６の代わりに、第２インサート部材７を用いる点が相違するだけであり、取付け方法などは同じであるので、詳しい説明は省略する。この態様では、図８（ｂ）に示すように、固定部材４の上端部からシャフト２の後端部までの長さがＬ４となり、この部分がスイング時に撓りをもたらす。この長さＬ４は、第１の態様に比べ、第１インサート部材６と第２インサート部材７の軸方向の長さの差だけ、Ｌ３よりも短い。
【００３６】
以上のように、本実施形態によれば、第１実施形態と同様の効果を得ることができる。なお、インサート部材は、２つだけでなく、３種類以上準備することもできる。
【００３７】
＜４．変形例＞
以上、本発明の実施形態について説明したが、本発明は上記実施形態に限定されるものではなく、その趣旨を逸脱しない限りにおいて、種々の変更が可能である。例えば、以下の変更が可能である。
【００３８】
＜４．１＞
例えば、図９に示すようにすることができる。この例では、第１実施形態のインサート部材５の下端部に形成された雌ねじ５２に対し、さらに径方向内方に環状の突起５５を形成している。すなわち、雌ねじ５２と、突起５５との間に環状の溝が形成され、この溝に、ホーゼル部３の上端部が嵌まるようになっている。これにより、インサート片５０の下端部同士が径方向に離れるのを防止することができ、インサート部材５をより強固にホーゼル部３に固定することができる。
【００３９】
＜４．２＞
上記各実施形態では、インサート部材５，６，７が周方向に２つに分割されるように構成されているが、３以上に分割できるようにしてもよい。いずれにしても、インサート部材が分割できることで、インサート部材５，６，７をシャフト２に挿通することなく、径方向からシャフト２の外周面を覆うことができる。
【００４０】
＜４．３＞
上記実施形態では、固定部材４、インサート部材５，６，７、及び差込孔３１の開口周縁をねじによって固定しているが、雄ねじ及び雌ねじの関係は、反対でもよい。また、ねじ以外の固定も可能であり、着脱自在に固定できるものであれば、特には限定されない。例えば、図１０に示すように、スナップ式の取り付け機構でもよい。この機構では、例えば、ホーゼル部３の開口周縁を径方向の内方及び外方から挟む環状の突起５７、５８を、インサート部材５の端部に形成し、径方向内方の突起５７及び径方向外方の突起５８の少なくとも一方に、ホーゼル部３の開口周縁と係合する抜け止め用の突片５０１，５０２を設ける。そして、このような突片５０１，５０２を弾性変形可能な材料で形成すれば、ねじ止めによらず、インサート部材５を固定することができる。この機構は、固定部材４とインサート部材５，６，７との固定にも用いることができる。
【００４１】
＜４．４＞
上記実施形態では、アイアン型のゴルフクラブを例にして説明したが、上記のような変更機構は、ウッド型のゴルフクラブにおいても適用することができる。
【符号の説明】
【００４２】
１  ゴルフクラブヘッド
２  シャフト
３  ホーゼル部
３１  差込孔（開口）
４  固定部材
４１  雌ねじ（第１固定部）
５、６，７、８  インサート部材
５１  雄ねじ（第３固定部）
５２  雌ねじ（第２固定部）
【図１】
0006371598.tif 000002
【図２】
0006371598.tif 000003
【図３】
0006371598.tif 000004
【図４】
0006371598.tif 000005
【図５】
0006371598.tif 000006
【図６】
0006371598.tif 000007
【図７】
0006371598.tif 000008
【図８】
0006371598.tif 000009
【図９】
0006371598.tif 000010
【図１０】
0006371598.tif 000011